(57)【要約】【課題】建物等の壁面の設置に適したアンテナを提供する。【解決手段】ビームチルトを可変するように構成されたアンテナにおいて，水平方向に方向に２つ並列配置されたアンテナ部と，少なくとも，一方の前記アンテナ部から出力される出力信号の位相を所定範囲で連続的若しくは段階的に可変するための位相器と，該位相器の出力信号と，他方のアンテナ部から出力される出力信号を合成して出力する合成器と，から成る。左側に位置するアンテナ部から出力される出力信号の位相を可変するか，右側に位置するアンテナ部から出力される出力信号の位相を可変するか，を切換える切換手段を具備して，左若しくは右方向にビームを可変することができ，左若しくは右方向にアンテナ部の向きを変えるための可動手段を具備して，前記ビームチルトの形成方向に対応して第１の所定角度で夫々のアンテナ部の方向調整を行う。【選択図】  図６
2008048006.tif 000002
【特許請求の範囲】
【請求項１】
ビームを可変するように構成されたアンテナにおいて，
水平方向に２つ平行配置された，少なくとも，偏波の方向の短辺に対して直交する方向に充分に長い長辺を有する放射器と反射器を備えるアンテナ部と，
少なくとも，一方の前記アンテナ部から出力される出力信号の位相を所定範囲で連続的若しくは段階的に可変するための位相器と，
該位相器の出力信号と，他方のアンテナ部から出力される出力信号を合成して出力する合成器と，から成り，
前記アンテナ部の配列方向に直交する方向に対して左側に位置するアンテナ部から出力される出力信号の位相を可変するか，前記アンテナ部の配列方向に直交する方向に対して右側に位置するアンテナ部から出力される出力信号の位相を可変するか，を選択的に切換えるための切換手段を具備して，前記アンテナ部の配列方向に直交する方向に対して左若しくは右方向にビームチルトを可変することができ，
前記ビームチルトの形成方向に対応するよう，前記アンテナ部の配列方向に直交する方向に対して左若しくは右方向に第１の所定角度で夫々のアンテナ部の方向調整を行うことができる，
ことを特徴としたアンテナ。
【請求項２】
前記アンテナ部の方向調整を行うための可動手段を具備したことを特徴とした請求項１に記載のアンテナ。
【請求項３】
前記放射器は，少なくとも，所定個所にショートバーを設けたループアンテナを同一平面上で１８０°対向させた外形略四角形状のスケルトンスロットアンテナからなり，
前記反射器は，前記放射器がなす平面の投影面の外形と同じか僅かに大きく形成された第１の反射器と，該第１の反射器を挟んで両長辺側を夫々前記放射器方向に折曲部において折り曲げ形成した第２の反射器と，反射器の長辺方向に延びるように形成された開口窓であって，前記第１の反射器の長辺に平行する軸線に直交する線上に，該開口窓の長手方向の中心点を夫々一致させるように平行配置してなる複数の前記開口窓を１組として，前記第１の反射器の長手方向の軸線に沿って複数組備えられた開口窓とからなり，
前記反射器の大きさは前記第１の反射器の短辺と該第１の反射器の両側に位置する前記第２の反射器の２つの短辺の合計寸法が使用周波数における最大周波数の０．４５波長から１．２波長となるように形成されると共に，平行配置された１組の開口窓の配列方向の寸法であって，前記第２の反射器の２つの短辺の寸法の合計と，前記折曲部と前記開口窓の内の最も外側に配置された前記開口窓の折曲部側に位置する長辺との間の寸法の合計と，隣り合う開口窓の相対向する長辺の間の寸法の合計と，全開口窓の全周の合計の略２分の１の寸法と，の総合計寸法が使用周波数における最小周波数の０．４５波長から１．２波長となるように，前記開口窓の開口寸法を形成したことを特徴とした請求項１または請求項２の何れか一項に記載のアンテナ。
【請求項４】
前記アンテナの使用周波数はＵＨＦ帯であることを特徴とした請求項１から請求項３の何れか一項に記載のアンテナ。
【発明の詳細な説明】
【技術分野】
【０００１】
本発明は，主にテレビ受信に利用されるアンテナに関し，詳しくはＵＨＦ帯のテレビ電波を受信するための壁面取付用のＵＨＦアンテナの構成に関する。
【背景技術】
【０００２】
従来，テレビ受信においてビルなどによって反射される反射波などの妨害波による受信不良対策したり，アンテナを動かさずにその指向性を可変したりしようとする場合は，アンテナを水平方向に並列配置し，一方のアンテナからの出力に遅延線路を介設し,夫々のアンテナからの出力を合成することでビームを可変したりヌル点を形成したりしていた。
（例えば，特許文献１参照）
【０００３】
【特許文献１】特開２００４−３２０４５４号公報
【発明の開示】
【発明が解決しようとする課題】
【０００４】
新しく始まった地上ディジタル放送は，周波数帯が，従来のアナログ放送のＵＨＦ周波数帯の低域側を使用しているにも拘わらず，アナログ信号のように電波の強度に応じて受信状態が変化することがなく，受信さえできれば鮮明な映像を提供できるため，その受信アンテナはある一定レベルの電波を受信できればよく，従来のアンテナに比べて小型で扱いやすい形状のアンテナであっても充分である場合が考えられる。
しかし，長波や中波の地上波信号を受信する地上放送受信アンテナは，棒状の給電素子に平行に前方に導波器，後方に反射器を設けた八木・宇田式アンテナが広く利用されているのであるが，この八木・宇田式アンテナは，受信波長で決まる各素子の長さや形状等を大きく変更することはできず，相変わらず細長い導体棒を複数使用しなければならない。特に受信電波方向である前後方向が長く大きなものとなっている。また，素子数も多いため組み立てが面倒であり，各導体棒の端部が尖っているため取り扱い難い。そのため，設置作業も面倒であり，風圧荷重も大きく台風等で破損することが多かった。
【０００５】
また，例えば，この八木・宇田式アンテナが地上ディジタル放送受信用のＵＨＦアンテナである例を考えてみると，設置の容易性を鑑みてベランダなどにでも設置できるように構成されることが考えられる。ところがベランダは生活空間の一部にもなっており，既にＢＳなどの衛星アンテナなどが取付けられているとすれば，地上ディジタル放送用ＵＨＦアンテナを取付ける為のスペースを確保する必要が生じ，たとえ設置できたとしても，布団干しなどの邪魔になると言った問題があった。
これに対して，建物の壁面にアンテナ支柱を備えた取付金具をボルト等で固着し，このアンテナ支柱にアンテナを取付ける方法も考えられるのであるが，アンテナ自体の前後方向の寸法に加えて，アンテナの方向調整時に，反射器などが壁面と接触しないようにするため十分な取付空間を必要とすることから，アンテナが壁面から外方向に突出する寸法が大きくなり，延いては，壁面への取付強度を強くする必要があり工事が大変になるといった問題があった。
更には，２０１１年に地上アナログ放送が終了したあとで，屋根上に設置されたアナログ放送用のアンテナを撤去することを考えれば，屋根上に地上ディジタル放送用のアンテナを上げる事はできないのである。
そのため，本発明は上記問題点に鑑み，小型で組み立てが容易であって，突起部位が無く扱いやすいアンテナを提供することを課題とする。
他の目的は，建物の壁面に取付けてテレビを受信するためのアンテナを提供する事に有る。
他の目的は，小型であっても特性のよいアンテナを提供する事に有る。
他の目的は，建物の壁面に取付けて地上ディジタル放送を受信するためのアンテナを提供する事に有る。
【課題を解決するための手段】
【０００６】
上記課題を解決するために，請求項１の発明は  ビームを可変するように構成されたアンテナにおいて，水平方向に方向に２つ並列配置された，少なくとも，偏波の方向の短辺に対して直交する方向に充分に長い長辺を有する放射器と反射器を備えるアンテナ部と，少なくとも，一方の前記アンテナ部から出力される出力信号の位相を所定範囲で連続的若しくは段階的に可変するための位相器と，該位相器の出力信号と，他方のアンテナ部から出力される出力信号を合成して出力する合成器と，から成り，前記アンテナ部の配列方向に直交する方向に対して左側に位置するアンテナ部から出力される出力信号の位相を可変するか，前記アンテナ部の配列方向に直交する方向に対して右側に位置するアンテナ部から出力される出力信号の位相を可変するか，を選択的に切換えるための切換手段を具備して，前記アンテナ部の配列方向に直交する方向に対して左若しくは右方向にビームチルトを可変することができ，前記ビームチルトの形成方向に対応するよう，前記アンテナ部の配列方向に直交する方向に対して左若しくは右方向に第１の所定角度で夫々のアンテナ部の方向調整を行うことができるように構成される。
【０００７】
請求項２の発明は，請求項１に記載のアンテナにおいて，前記アンテナ部の方向調整を行うための可動手段を具備した。
【０００８】
請求項３の発明は，請求項１または請求項２の何れか一項に記載のアンテナにおいて，  前記放射器は，少なくとも，所定個所にショートバーを設けたループアンテナを同一平面上で１８０°対向させた外形略四角形状のスケルトンスロットアンテナからなり，前記反射器は，前記放射器がなす平面の投影面の外形と同じか僅かに大きく形成された第１の反射器と，該第１の反射器を挟んで両長辺側を夫々前記放射器方向に折曲部において折り曲げ形成した第２の反射器と，反射器の長辺方向に延びるように形成された開口窓であって，前記第１の反射器の長辺に平行する軸線に直交する線上に，該開口窓の長手方向の中心点を夫々一致させるように平行配置してなる複数の前記開口窓を１組として，前記第１の反射器の長手方向の軸線に沿って複数組備えられた開口窓とからなり，前記反射器の大きさは前記第１の反射器の短辺と該第１の反射器の両側に位置する前記第２の反射器の２つの短辺の合計寸法が使用周波数における最大周波数の０．４５波長から１．２波長となるように形成されると共に，平行配置された１組の開口窓の配列方向の寸法であって，前記第２の反射器の２つの短辺の寸法の合計と，前記折曲部と前記開口窓の内の最も外側に配置された前記開口窓の折曲部側に位置する長辺との間の寸法の合計と，隣り合う開口窓の相対向する長辺の間の寸法の合計と，全開口窓の全周の合計の略２分の１の寸法と，の総合計寸法が使用周波数における最小周波数の０．４５波長から１．２波長となるように，前記開口窓の開口寸法を形成した。
【０００９】
請求項４の発明は，請求項１から請求項３の何れか一項に記載のアンテナにおいて，前記アンテナの使用周波数はＵＨＦ帯であるように構成される。
【発明の効果】
【００１０】
本願の請求項に示されるアンテナ構成によれば，電子的にビームチルト特性を可変できるのに加え，このビームチルトの形成方向に対応して，夫々のアンテナ部を所定角度だけ傾けることによって，アンテナが配列方向に直交する方向に向いた状態のまま（物理的にアンテナの方向調整をしない）でアンテナにビームチルト特性を持たせた場合と比較して，主ビーム方向の利得を更に良好なものにすることができるのである。
また，電気的にビームチルトを可変する場合においては，その可変した角度が大きくなると指向特性が大きく分かれ，主ビームでは無い方向（例えば，ビームチルトの形成方向を左方向に向けた場合，アンテナの正面より右方向）にでるサイドビームが大きくなってアンテナの指向特性が悪くなってしまい，これによって反射波などの妨害波を受信してしまうことがあるが，本発明のように，ビームチルトの形成方向に対応して，アンテナ部を所定角度だけ傾けてアンテナの方向調整をすることによって，不要な方向の放射を抑え，主ビーム方向の利得を高くすることができると共に，反射波などの妨害波などによる影響を低減することができるのである。
【００１１】
また，このアンテナを構成する夫々のアンテナ部は，突起部のない断面略四角形状の縦長の直方体形状で構成されているので，八木・宇田式アンテナのように細径のエレメントのような突起部位が無く，組み立てが容易と成ると共に，ビームチルトを有するように水平方向に２つのアンテナを並列配置した構成であっても，前方向および後方向への突出寸法が極めて短くて済むので，アンテナ支柱やベランダばかりでなく，特に，ベランダ等が設置されていない建物などの壁面への設置においても目立たずスッキリと配設できる壁面設置に適したアンテナとなるのである。また，本発明の実施例によればアンテナの方向調整を行ってもアンテナの前方向への突出寸法が然程大きくならないと言った特長を有するのであり，特に壁面に設置するには好適なアンテナを提供できる。この場合，電波到来方向に好適な壁面に取付けることができなくても，上述のように電子的および物理的にビームチルトを形成できるので多彩な電波到来方向対して何時でも最適に受信できる，優れた特長を有するのである。
【発明を実施するための最良の形態】
【００１２】
以下に，本発明を具体化した実施形態の例を，図面を基に詳細に説明する。
図１は本発明に係るアンテナ部の実施形態を示す概略斜視図であり，（ａ）は正面側から見た斜視図であり，（ｂ）は背面側から見た斜視図である。図２は本発明に係るアンテナ部を構成する放射器の概略構成を示す正面図である。図３は図１に示されるアンテナ部を構成する反射器の拡大したものであり，（ａ）は正面図，（ｂ）は背面図，（ｃ）は右側面図，（ｄ）は上面図を示す。図４（ａ）は反射器の一部を破断した背面部分拡大図であり，（ｂ）は上面拡大図である。図５は本発明のアンテナ部を壁面に取付けたときの概略図である。図６は本発明の実施例に示されるアンテナ部を使用したＵＨＦアンテナの構成例を示す概略図である。
【００１３】
本発明に係るアンテナ部の実施形態として図１から図４を参照して説明する。図１の１００に示されるように本発明に係るアンテナ部は受信する電波の偏波方向に平行に短辺を有し，偏波方向緒に直交する方向に充分長い長辺を有する縦長の放射器５０と反射器６０とから構成されている。
【００１４】
図１および図２に示されるように，放射器５０は水平方向に直交する方向に略平行配置される側辺５１ｂ，５１ｃと，該側片の上下両端側に前記側片を挟むように配設される上辺５１ｄおよび下辺５１ｅからなる縦長形状に形成された第１の放射素子５１と，その第１の放射素子５１のループ内部にあって，水平方向に直交する方向に略平行配置される側辺５２ｂ，５２ｃと，該側片の上下両端側に前記側片を挟むように配設される上辺５２ｄおよび下辺５２ｅからなる縦長形状に形成された第２の放射素子５２とを備え，第１の放射素子と第２の放射素子は夫々の側辺１０ｂ，１０ｃの略中央から放射器５０の中心に向かって対向するように突設され，その先端部に給電点５０ａ，５０ａを備える共通の中辺５０ｆによって接続されており，この第１の放射素子５１と第２の放射素子５２はそれぞれスケルトンスロットアンテナとされるアンテナを構成している。
【００１５】
第１の放射素子５１の所定位置には放射素子の間を接続して短絡するための第１のショートバー５３が形成されている。本発明の第２の実施例における第１ショートバー５３は中辺５０ｆと略平行に側辺５１ｂと側辺５１ｃとの間を接続するように構成されており，中辺５０ｆを挟んで放射器の上下対称となる位置にそれぞれ配設（５３ｄ，５３ｅ）されている。この第１のショートバー５３は第１の放射素子の広帯域化を実現するためのものである。
また，第１の放射素子５１と第２の放射素子５２との間の所定位置には，第１の放射素子５１と第２の放射素子５２を接続して短絡するための第２のショートバー５４が形成されている。この第２のショートバーは第１の放射素子５１と第２の放射素子５２とが相互に干渉して特性が悪くなるのを防止するためのものである。
尚，本発明に係る第２の実施例における第１のショートバー５３と第２のショートバー５４は，放射器５０の構成に合わせて，必要とする電気的特性が得られる所定の位置に設ければよいのであるが，この実施例においては第１のショートバー５３と第２のショートバー５４は，それぞれ第２の放射素子５２の上辺５２ｄ，下辺５２ｅと重合される位置に配設されており，図には上下にそれぞれ一本づつのショートバーとして示されている。
これによれば放射器５０の第１の放射素子５１は，線幅１５ｍｍの金属導体で側片５１ｂ（５１ｃ）の長さ（図におけるＨ１１）が略５６０ｍｍ，上辺（下辺）の長さ（図におけるＷ１１）が略１００ｍｍの矩形となるように形成されている。第２の放射素子５２は，線幅５ｍｍの金属導体で側片５２ｂ（５２ｃ）の長さが略３００ｍｍ，上辺（下辺）の長さが略３０ｍｍの矩形となるように形成されている。第１の放射素子５１と第２の放射素子の左右方向の略２０ｍｍ離して配設されている。中辺５０ｆの突出寸法は略３０ｍｍ，幅略１０ｍｍであり，その先端部には給電点５０ａを有する。
【００１６】
次に反射器６０について説明する。本発明の第２の実施例に示される反射器６０は図４および図６に示されている。反射器６０の大きさは，前記放射器５０がなす平面の投影面の外形と同じか僅かに大きく形成した縦長の外形略四角形状に形成された第１の反射板６１と，該第１の反射器６１を挟んで両長辺側を夫々前記放射器５０方向に折曲部６０ｂ，６０ｃにおいて折り曲げ形成した第２の反射器６２，６２と，前記第１の反射器６１に複数形成された受信する電波の偏波方向に直交する方向（本発明の実施例では水平偏波の信号を受信するように構成されているので図に示される上下方向）に長手方向を有する開口窓６３（６３ａ，６３ｂ，・・・）から構成されている。本発明における開口窓２２は反射板の水平方向に７個平行配置したものを１組として，第１の反射器６１の上下方向に５組配列するように形成されている。
【００１７】
次にこの例に示される反射器６０の寸法について図４を用いて詳しく説明する。尚，図４（ａ）における第２の反射器６２は，以降の説明が明確になるように，第１の反射器６１と同一平面上になるように両側に開いた状態（折り曲げ形成する前の状態）で示されている。
第１の反射器６１は上述のように放射器５０がなす平面の投影面の外形（図に示すＨ１１×Ｗ１１）と同じか僅かに大きく形成されているのであるが，第２の反射器６２，６２を含めた寸法は次の条件に当てはまるように形成されている。即ち，第１の反射器６１の短辺（図４（ｂ）に示されるＷ２２）と第２の反射器６２の短辺（図４（ａ）に示されるＬ１５）の合計寸法（図に示す経路Ｒ２０の長さであり，第２の反射器６２の先端から先端までのコ字状に形成された反射器の寸法）が使用周波数における最大周波数の波長λ２の０．４５から１．２倍であるように構成されると共に，平行配置された１組の開口窓６３の配列方向の寸法であって，前記第２の反射器の短辺寸法（図におけるＬ１５）の合計と，前記折曲部６０ｂ，６０ｃと前記開口窓の内の最も外側に配置された前記開口窓（図における６２ａ，６２ｇ）の折曲部側に位置する長辺との間の寸法（図におけるＬ１３）の合計と，隣り合う開口窓の相対向する長辺の間の寸法（図におけるＬ１４）の合計と，全開口窓の全周の合計｛７×（２×Ｌ１＋２×Ｌ２）｝の略２分の１の寸法（７×Ｌ１＋７×Ｌ２）と，の総合計寸法（即ち，図における経路Ｒ１０の長さ）が使用周波数における最小周波数の波長λ１の０．４５から１．２倍となるように，前記開口窓６３の開口寸法が形成されている。
これによれば反射器６０は第１の反射器５１の大きさが略５６０×１００ｍｍであり，開口窓の開口寸法は９５×７ｍｍである。また第２の反射器６２の短辺の寸法は略４５ｍｍである。
尚，開口窓の開口寸法，開口窓の形成数は一例を示すものであり，必要とする電気的特性が得られるのであれば，特に実施例に示されるものに限定されるものではない。
【００１８】
このように構成された放射器５０と反射器６０は図５（ａ）に示すように化粧ケース９９の内部に所定の間隔を保持して収納されてアンテナ部１００が形成される。そして，図８（ｃ）に示されるように屋外に取付ける場合は，アンテナ取付金具１０４を備えさせれば壁面１０５に取付けたりベランダに取付けたりすることができ，しかも，アンテナ部の形状が断面略正方形となり前後に突出することがないので壁面やベランダ等に好適なアンテナを提供することができる。
このように構成されたアンテナ部の特性を図  に示す。
【００１９】
図６は本発明に係るＵＨＦアンテナ１１０の実施形態を説明するための概略説明図であり，アンテナの左側にビームチルトを形成した場合の例が示されている。ＵＨＦアンテナ１１０は，水平方向に相互に所定間隔だけ離して２つ平行配置された，少なくとも，放射器５０と該放射導体５０の後方に備えた反射器６０から構成されるアンテナ部１００Ａ・１００Ｂと，各アンテナ部からの信号の経路を選択的に切換えて出力できるように構成された切換手段２５と，該切換手段において選択された一方の経路を介して出力される一方のアンテナ１００Ａからの出力信号の位相を所定範囲で連続的若しくは選択的に可変するための位相器２６と，該位相器２６の一方の経路から出力される出力信号と，前記切換手段において選択された他方の経路を介して出力される他方のアンテナ１００Ｂからの出力信号を合成して出力する合成器２７と，希望波到来方向に対応して左若しくは右方向に夫々のアンテナ部１００Ａ・１００Ｂの方向調整を行うことができるように具備した可動手段と，から成る。
この可動手段は，前記アンテナ部１００Ａおよび１００Ｂをそれぞれ希望波到来方向に対応して左若しくは右方向に所定角度可変できるようにしたものであり，例えば図５（ｂ）に示されるように壁面取付金具１０９に方向調整機能を備えさせたものであってもよい。
【００２０】
本発明に具備された切換手段２５は，図６（ｂ）に示す例のように高周波信号を切換えるための切換スイッチＳＷを備えて成り，この切換スイッチの切換によって，アンテナ１１０の左方向にビームチルトを形成するときは，左側に位置するアンテナ部１００Ａから出力される出力信号を位相器２６に接続するように，アンテナ１１０の右方向にビームチルトを形成するときは，右側に位置するアンテナ部１００Ｂから出力される出力信号を位相器２６に接続するように，選択的に信号経路を切換えることができるように構成されている。即ち，上記実施例のように左側にビームチルトを形成する場合であれば，前記切換手段２５は，アンテナ部１００Ａからの出力が図６（ｂ）に示される信号経路１を通過して位相器２６に接続され，アンテナ部１００Ｂからの出力が図６（ｂ）に示される信号経路２を通過して合成器２７に接続するよう信号経路を選択できるように構成されており，また，ビームチルトを右方向に形成する場合は，切換手段２５のスイッチＳＷの切換操作によって前記状態とは接続が逆になるように信号経路が切換えられることになる。
尚，本発明の実施例では，位相器２６を１つ備えて，ビームチルトを形成したい方向に有るアンテナ部に，この位相器が接続されるように切換手段２５を構成したが，位相器を２つ備させることによって，各アンテナ部の出力に位相器を接続し，ビームチルトを形成したい側にある位相器を調整するようにしてもよい。
【００２１】
位相器２６は，一方のアンテナに接続された給電線に介設することによって，その電気長を選択的若しくは連続的に可変するものである。この実施形態においては，位相器２６はアンテナ１００Ａからの給電線に接続されており，これによって一方のアンテナ部と他方のアンテナ部に対する電波到達時間の差（図６に示す距離差ｄ）によって生じる位相差を補償するものである。これによって左方向にビームチルトが形成される。そして，前記切換手段２５で信号経路を切換えればアンテナ１１０の右方向にビームチルトが形成されるので，ＵＨＦアンテナ１１０は電気的に左右方向の所定角度範囲内における任意のビームチルトを形成することができる。
【００２２】
この実施形態のように構成されたアンテナ部を水平方向に２つ備えたＵＨＦアンテナ１１０の指向特性は，前記アンテナ１００Ａ及び１００Ｂの配列方向に直交する方向に対して，物理的に夫々のアンテナの方向調整を行うことができると共に，電気的にビームを所定角度に傾けることができるビームチルト特性を有するものになる。
即ち，このＵＨＦアンテナ１１０には，電子的にビームチルト特性を可変できるのに加え，このビームチルトの形成方向に対応して，夫々のアンテナ部を所定角度θ１（この実施例に場合は，ビームチルトの形成方向が左側に傾いた状態にあるので，左方向に）傾けることによって，アンテナが配列方向に直交する方向に向いた状態のまま（物理的にアンテナの方向調整をしない）でアンテナにビームチルト特性を持たせた場合と比較して，主ビーム方向の利得を更に良好なものにすることができるのである。
また，電気的にビームを可変する場合においては，その可変した角度が大きくなると指向特性が大きく分かれ，主ビームでは無い方向（例えば，ビームチルトの形成方向を左方向に向けた場合，アンテナの正面より右方向）にでるサイドビームが大きくなってアンテナの指向特性が悪くなってしまい，これによって反射波などの妨害波を受信してしまうことがあるが，本発明の実施例のように，ビームチルトの形成方向に対応して，アンテナ部を所定角度だけ傾けてアンテナの方向調整をすることによって，不要な方向の放射を抑え，主ビーム方向の利得を高くすることができると共に，反射波などの妨害波などによる影響を低減することができるのである。
図７はアンテナのビームチルトの形成方向を模式的に示すものであり，例えば電子的にビームチルトを４０°傾けることができるように構成し，アンテン取付金具の方向調整手段によって物理的にアンテナの方向調整を所定角度（例えば４０°）を傾けるように構成すれば，このアンテナは左右に略１８０度の範囲の電波到来方向に対して充分に対応可能することができる。
【００２３】
また，このＵＨＦアンテナ１１０を構成する夫々のアンテナ部１００Ａ，１００Ｂは，突起部のない断面略四角形状の縦長の直方体形状で構成されているので，八木・宇田式アンテナのように細径のエレメントのような突起部位が無く，組み立てが容易と成ると共に，ビームチルトを有するように水平方向に２つのアンテナを平行配置した構成であっても，前方向および後方向への突出寸法が極めて短くて済むので，アンテナ支柱やベランダばかりでなく，特に，ベランダ等が設置されていない建物などの壁面への設置においても目立たずスッキリと配設できる壁面設置に適したＵＨＦアンテナとなるのである。また，本発明の実施例によればアンテナの方向調整を行ってもアンテナの前方向への突出寸法が然程大きくならないと言った特長を有するのである。また，壁面に設置する場合，電波到来方向に好適な壁面に取付けることができなくても，上述のように電子的および物理的にビームチルトを形成できるので多彩な電波到来方向対して何時でも最適に受信できる，優れた特長を有するのである。
尚，本発明は上記実施の形態に限定されるものではなく，本発明の趣旨を逸脱しない範囲で各部の構成を適宜に変更して実施することも可能である。
【図面の簡単な説明】
【００２４】
【図１】は本発明に係るアンテナの実施形態を示す概略斜視図であり，（ａ）は正面側から見た斜視図であり，（ｂ）は背面側から見た斜視図である。
【図２】は本発明に係るアンテナを構成する放射器の概略構成を示す正面図である。
【図３】は本発明に係るアンテナを構成する反射器の拡大したものであり，（ａ）は正面図，（ｂ）は背面図，（ｃ）は右側面図，（ｄ）は上面図を示す。
【図４】（ａ）は反射器の一部を破断した背面部分拡大図であり，（ｂ）は上面拡大図である。
【図５】第２実施形態のアンテナの具体的な使用例を示す。
【図６】本発明に係るアンテナ部を用いたＵＨＦアンテナであり，（ａ）はアンテナの左方向にビームチルトを形成した状態の構成図であり，（ｂ）は（ａ）に示される切換手段の具体的な実施例を示す。
【符号の説明】
【００２５】
５０…放射器，５０ａ…給電点，５０ｆ…中辺，５１…第１の放射器，５１ｂ・５１ｃ…側辺，５１ｄ…上辺，５１ｅ…下辺，５２…第２の放射器，５２ｂ・５２ｃ…側辺，５２ｄ…上辺，５２ｅ…下辺，５３…第１のショートバー，５４…第２のショートバー，６０…反射器，６１…第１の反射器，６１ｄ…上辺，６１ｅ…下辺，６２…第２の反射器１０ｄ，６３…開口窓，９９…化粧ケース，１００…アンテナ部，１０１…アンテン出力端子，１０２…アンテナ支持台，１０３…同軸ケーブル，１０４…アンテナ取付け具，１０５…壁面，１０９…可動手段
【図１】
2008048006.tif 000003
【図２】
2008048006.tif 000004
【図３】
2008048006.tif 000005
【図４】
2008048006.tif 000006
【図５】
2008048006.tif 000007
【図６】
2008048006.tif 000008